(57)【要約】【課題】ユーザの属性に相応しい装飾を文書に施すことが可能な文書処理装置、文書処理方法、及びプログラムを提供する。【解決手段】ユーザが「ユーザ情報の入力」コマンドを選択すると、制御部２０は、設定用画面を表示して、「性別」、「年齢」、「好みのデザイン」といったユーザの属性を、それぞれ複数の属性区分の中から選択させる。ユーザが、該当する属性区分を選択すると、制御部２０は、選択された各属性区分をユーザ情報として大容量記憶部２１に記憶する。また、ユーザは、「自動装飾」コマンドを選択することにより、文書全体の装飾内容の決定をプログラムに委ねることができる。大容量記憶部２１には、文書に対する装飾内容と、ユーザの属性を表す属性区分とを対応付けた対応テーブルＲＴが記憶されており、制御部２０は、対応テープルＲＴを参照することにより、ユーザによって入力されたユーザ情報から文書の装飾内容を決定する。【選択図】図１
2007249745.tif 000002
【特許請求の範囲】
【請求項１】
文書に装飾を施す文書処理装置であって、
ユーザの属性を表すユーザ情報を取得するユーザ情報取得手段と、
前記ユーザ情報取得手段で取得された前記ユーザ情報に基づいて、前記文書に対する装飾内容を決定するデザイン決定手段と、
前記デザイン決定手段で決定された装飾内容に基づいて、前記文書に装飾を施すための処理を行う装飾処理手段と、
を備えたことを特徴とする文書処理装置。
【請求項２】
請求項１に記載の文書処理装置であって、
ユーザの属性を表すために複数に区分された属性区分に、それぞれに相応しい装飾内容を対応付けた対応テーブルを記憶する記憶手段をさらに備え、
前記ユーザ情報は、ユーザが前記属性区分のいずれに属するかを表す情報であり、前記デザイン決定手段は、前記ユーザ情報、及び前記対応テーブルに基づいて、前記装飾内容を決定することを特徴とする文書処理装置。
【請求項３】
請求項１又は２に記載の文書処理装置であって、
前記デザイン決定手段は、前記装飾内容に関して複数の候補を抽出した後に、当該複数の候補の中から１つの装飾内容に決定し、
前記デザイン決定手段によって決定された前記装飾内容の適否を問い合わせる確認手段と、
前記確認手段による確認の結果、当該装飾内容が不適とされた場合に、前記デザイン決定手段によって抽出された他の候補を選択させる選択手段と、
をさらに備えたことを特徴とする文書処理装置。
【請求項４】
文書に装飾を施す文書処理方法であって、
ユーザの属性を表すユーザ情報を取得するユーザ情報取得工程と、
前記ユーザ情報取得工程で取得された前記ユーザ情報に基づいて、前記文書に対する装飾内容を決定するデザイン決定工程と、
前記デザイン決定工程で決定された装飾内容に基づいて、前記文書に装飾を施すための処理を行う装飾処理工程と、
を備えたことを特徴とする文書処理方法。
【請求項５】
文書に装飾を施すためのプログラムであって、コンピュータに、
ユーザの属性を表すユーザ情報を取得するユーザ情報取得工程と、
前記ユーザ情報取得工程で取得された前記ユーザ情報に基づいて、前記文書に対する装飾内容を決定するデザイン決定工程と、
前記デザイン決定工程で決定された装飾内容に基づいて、前記文書に装飾を施すための処理を行う装飾処理工程と、
を実行させることを特徴とするプログラム。
【発明の詳細な説明】
【技術分野】
【０００１】
本発明は、文書に装飾を施す文書処理装置、文書処理方法、及びプログラムに関する。
【背景技術】
【０００２】
従来、パーソナルコンピュータやワードプロセッサ等を用いて文書を作成する際には、文字情報等を入力した文書に対して、各種装飾（フォントや配色等の変更）を施すことにより、カラフルで変化に富んだ文書を作成することが可能になっている。しかしながら、デザインに不慣れなユーザにとっては、文書のどの部分にどのような装飾を施せばよいか判断が難しいことから、作成する文書の種類等に応じて好適な配色をガイドする文書処理装置が提案されている（特許文献１参照）。
【０００３】
【特許文献１】特開平８−５５１１９号公報
【発明の開示】
【発明が解決しようとする課題】
【０００４】
しかしながら、ガイドに従って配色を定めることで効果的な色付けがなされたとしても、その配色がユーザの属性（性別、年齢等）に相応しくない文書になってしまうことが生じうる。この結果、例えば、高齢者が作成する文書が、当人の意図に反して派手なデザインになってしまうこと等により、当該文書の読者に違和感を与えてしまう恐れがあった。
【０００５】
本発明は上記問題に鑑みてなされたものであり、その目的は、ユーザの属性に相応しい装飾を文書に施すことが可能な文書処理装置、文書処理方法、及びプログラムを提供することにある。
【課題を解決するための手段】
【０００６】
本発明の文書処理装置は、文書に装飾を施す文書処理装置であって、ユーザの属性を表すユーザ情報を取得するユーザ情報取得手段と、前記ユーザ情報取得手段で取得された前記ユーザ情報に基づいて、前記文書に対する装飾内容を決定するデザイン決定手段と、前記デザイン決定手段で決定された装飾内容に基づいて、前記文書に装飾を施すための処理を行う装飾処理手段とを備えたことを特徴とする。
【０００７】
この文書処理装置によれば、ユーザの属性を表すユーザ情報を取得して、これに基づいて装飾内容を決定するため、文書に対してユーザの属性に相応しい装飾を施すことが可能となる。
【０００８】
この文書処理装置において、ユーザの属性を表すために複数に区分された属性区分に、それぞれに相応しい装飾内容を対応付けた対応テーブルを記憶する記憶手段をさらに備え、前記ユーザ情報は、ユーザが前記属性区分のいずれに属するかを表す情報であり、前記デザイン決定手段は、前記ユーザ情報、及び前記対応テーブルに基づいて、前記装飾内容を決定することが望ましい。
【０００９】
この文書処理装置によれば、ユーザがどの属性区分に属するかを表す情報を取得して、属性区分と装飾内容とを対応付けた対応テーブルに基づいて装飾内容を決定するため、ユーザの属性に相応しい装飾内容を容易に決定することが可能となる。
【００１０】
この文書処理装置において、前記デザイン決定手段は、前記装飾内容に関して複数の候補を抽出した後に、当該複数の候補の中から１つの装飾内容に決定し、前記デザイン決定手段によって決定された前記装飾内容の適否を問い合わせる確認手段と、前記確認手段による確認の結果、当該装飾内容が不適とされた場合に、前記デザイン決定手段によって抽出された他の候補を選択させる選択手段とをさらに備えること望ましい。
【００１１】
この文書処理装置によれば、デザイン決定手段によって決定された装飾内容が意に添わない場合でも、ユーザの属性に相応しい他の候補を選択できるようになるため、ユーザの意思を反映した装飾を施すことが可能となる。
【００１２】
本発明の文書処理方法は、文書に装飾を施す文書処理方法であって、ユーザの属性を表すユーザ情報を取得するユーザ情報取得工程と、前記ユーザ情報取得工程で取得された前記ユーザ情報に基づいて、前記文書に対する装飾内容を決定するデザイン決定工程と、前記デザイン決定工程で決定された装飾内容に基づいて、前記文書に装飾を施すための処理を行う装飾処理工程とを備えたことを特徴とする。
【００１３】
この文書処理方法によれば、ユーザの属性を表すユーザ情報を取得して、これに基づいて装飾内容を決定するため、文書に対してユーザの属性に相応しい装飾を施すことが可能となる。
【００１４】
本発明のプログラムは、文書に装飾を施すためのプログラムであって、コンピュータに、ユーザの属性を表すユーザ情報を取得するユーザ情報取得工程と、前記ユーザ情報取得工程で取得された前記ユーザ情報に基づいて、前記文書に対する装飾内容を決定するデザイン決定工程と、前記デザイン決定工程で決定された装飾内容に基づいて、前記文書に装飾を施すための処理を行う装飾処理工程とを実行させることを特徴とする。
【００１５】
このプログラムによれば、ユーザの属性を表すユーザ情報を取得して、これに基づいて装飾内容を決定するため、文書に対してユーザの属性に相応しい装飾を施すことが可能となる。
【００１６】
また、本発明は、前記プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
以下、本発明の実施形態に係る文書処理装置について、図面を参照して説明する。
図１は、本実施形態の文書処理装置の全体構成を示すブロック図である。
図１に示すように、文書処理装置１は、制御部２０、大容量記憶部２１、インターフェイス（Ｉ／Ｆ）部２２等を備えたコンピュータで構成されている。制御部２０は、ＣＰＵ（Central Processing Unit）２０ａ、ＲＯＭ（Read Only Memory）２０ｂ、ＲＡＭ（Random Access Memory）２０ｃ等からなり、大容量記憶部２１からＲＡＭ２０ｃに読み込まれたプログラムに従って、ＣＰＵ２０ａが各種処理を実行することにより、文書処理装置１の動作を統括制御する。
【００１８】
大容量記憶部２１は、例えば、ハードディスク装置によって構成され、ＯＳ（オペレーティングシステム）や、インストールされたアプリケーションプログラム、或いは、各種データ等を記憶するための記憶手段として機能する。本実施形態の大容量記憶部２１には、アプリケーションプログラムとして、文書の入力や編集、装飾等を行うための文書作成プログラムＤＭがインストールされているとともに、文書の装飾を行う際に参照される対応テーブルＲＴ等が記憶されている。
【００１９】
Ｉ／Ｆ部２２は、有線又は無線通信により外部の周辺機器との間で通信が可能になっており、本実施形態では、ディスプレイＤＳやキーボードＫＢ、マウスＭＳ、プリンタＰＲ等の入出力装置が接続されている。
【００２０】
キーボードＫＢは、文字や制御情報等の入力に用いられ、マウスＭＳは、ディスプレイＤＳに表示されるカーソルを移動させたり、アイコンやメニューを選択したりするためのポインティングデバイスである。ディスプレイＤＳは、ＣＲＴ（陰極線管）ディスプレイや液晶ディスプレイ等が該当し、制御部２０の制御に基づいて画像を表示する表示装置であり、プリンタＰＲは、文書作成プログラムＤＭ等で作成した文書を、紙等の記録媒体に記録する記録装置である。なお、マウスＭＳに代えて、他のポインティングデバイスを適用してもよく、また、ディスプレイＤＳやキーボードＫＢ、ポインティングデバイス等を一体的に備えるノートパソコン等を文書処理装置１として用いることも可能である。
【００２１】
文書処理装置１に電源が投入されると、ＣＰＵ２０ａは、ＲＯＭ２０ｂに記憶された起動プログラムに従ってブート処理を行い、大容量記憶部２１に記憶されているＯＳをＲＡＭ２０ｃに読み込む。その後、ユーザがキーボードＫＢやマウスＭＳを操作して文書作成プログラムＤＭの起動を指示すると、制御部２０は、大容量記憶部２１に記憶された文書作成プログラムＤＭをＲＡＭ２０ｃに読み込んで、当該プログラムに従った動作を行う。これにより、文書処理装置１は、文書の入力や編集、装飾等の各種文書処理を、ユーザの指示に基づいて行うことが可能となる。
【００２２】
次に、文書処理装置１によって文書を作成する際の動作について図面を参照して説明する。
図２〜図５、及び図９〜図１１は、文書処理装置１によってディスプレイＤＳに表示される画面を示す説明図である。ユーザの指示に応じて文書作成プログラムＤＭが起動すると、制御部２０は、当該プログラムに従って図２に示す編集用画面ＰＥをディスプレイＤＳに表示させる。
【００２３】
図２に示すように、編集用画面ＰＥは、プログラムのタイトル等を表示するタイトルバーＢ１の下に、メニューバーＢ２、及びツールバーＢ３を備え、さらにその下方には、作業領域ＷＲを備えている。
【００２４】
メニューバーＢ２には、「ファイル」、「編集」、「デザイン」等の項目名が並んでおり、キーボードＫＢやマウスＭＳによっていずれかの項目が選択されると、制御部２０は、当該項目に関連する複数の動作処理の中から１つを選択可能なメニュー（図示せず）を表示する。例えば、「ファイル」のメニューには、「新規作成」、「ファイルを開く」、「保存」、「ユーザ情報の入力」、「印刷」、「終了」等の動作処理が含まれ、「編集」のメニューには、「切り取り」、「コピー」、「貼り付け」等の動作処理が含まれている。また、「デザイン」のメニューには、ユーザの指示に基づく装飾を文書に施すための各種動作処理に加えて、文書全体の装飾を当該プログラムに委ねる「自動装飾」等の動作処理が含まれている。ユーザがキーボードＫＢやマウスＭＳを操作して、当該メニューから１つの動作処理を選択すると、制御部２０は、選択された動作処理を実行する。
【００２５】
ツールバーＢ３には、複数のアイコンが表示されている。各アイコンのそれぞれは、メニューバーＢ２により選択可能な各種動作処理のうちのいずれか１つに関連付けられており、マウスＭＳのクリック動作によりアイコンを選択するだけで当該動作処理を実行可能になっている。このため、使用頻度の比較的高い動作処理に関連付けられたアイコンをツールバーＢ３に表示させておくことにより、編集作業の操作性を向上させることができる。
【００２６】
編集用画面ＰＥが表示された後、ユーザは、メニューバーＢ２又はツールバーＢ３から「新規作成」、「ファイルを開く」のいずれかの動作処理（コマンド）を選択することにより文書の作成（編集）を開始することができる。
【００２７】
「新規作成」コマンドは、新たな文書を一から作成するための動作処理であり、ユーザによって「新規作成」コマンドが選択されると、制御部２０は、図３に示すような設定用画面（ダイアログボックスＰＤ１）を編集用画面ＰＥ上に重畳して表示する。ダイアログボックスＰＤ１上では、作成する文書の種類、及びこれを印刷する用紙のサイズや向き等を設定可能になっており、ユーザによって所望の設定がなされると、制御部２０は、ダイアログボックスＰＤ１を画面上から消去するとともに、図４に示すように、編集用画面ＰＥの作業領域ＷＲ上に、設定された内容に応じたイメージ画像ＰＩを表示する。
【００２８】
イメージ画像ＰＩには、設定されたサイズや向きに応じた用紙外形図ＰＰと、設定された文書の種類に応じたテキスト入力枠ＰＴ１，ＰＴ２が含まれている。図４に示した例では、文書のタイトルを入力するためのテキスト入力枠ＰＴ１、及び文書の本文を入力するためのテキスト入力枠ＰＴ２の２種類のテキスト入力枠が示されているが、１つの文書に含まれるテキスト入力枠の個数や、用紙外形図ＰＰに対する各テキスト入力枠ＰＴ１，ＰＴ２の位置及びサイズは、文書の種類毎に、それぞれの文書構造として予め定められている。各文書構造は、大容量記憶部２１に記憶されており、制御部２０は、ダイアログボックスＰＤ１で設定された文書の種類に応じた文書構造を読み出し、イメージ画像ＰＩに反映させる。なお、テキスト入力枠ＰＴ１，ＰＴ２は、文字を入力可能な領域を示すための枠であり、文書の印刷結果には反映されない。
【００２９】
その後、ユーザは、キーボードＫＢやマウスＭＳを用いて、各テキスト入力枠ＰＴ１，ＰＴ２内に文字列等を入力したり、入力した文字列等の削除や修正等、各種編集作業を行ったりすることができる。編集途中の文書は、編集データとしてＲＡＭ２０ｃに記憶されており、制御部２０は、ユーザによる編集作業に応じてＲＡＭ２０ｃ上の編集データを随時更新する。編集データには、設定された用紙のサイズや向き、文書構造を表すデータとともに、各テキスト入力枠ＰＴ１，ＰＴ２に入力された文字列を表すテキストデータや、文字等の装飾内容（フォントの種別や文字色を表す色情報等）を表す装飾情報等が含まれている。なお、入力・編集作業が終了した際や作業を中断する際には、ユーザは、メニューバーＢ２又はツールバーＢ３から「保存」コマンドを選択することにより、ＲＡＭ２０ｃ上の編集データをファイルとして大容量記憶部２１に保存することができる。
【００３０】
「ファイルを開く」コマンドは、大容量記憶部２１等にファイルとして保存した文書（編集データ）を読み出す動作処理である。「ファイルを開く」コマンドが選択されると、制御部２０は、図示しないファイル選択用画面（ダイアログボックス）を編集用画面ＰＥ上に重畳して表示し、ユーザに読み出すファイルを選択させる。ファイルが選択されると、制御部２０は、大容量記憶部２１上の当該ファイルを、編集データとしてＲＡＭ２０ｃに読み出すとともに、前記ダイアログボックスを画面上から消去する。さらに、読み出した編集データに基づいて、用紙外形図ＰＰと、文字列が入力済みのテキスト入力枠ＰＴ１，ＰＴ２とを含むイメージ画像ＰＩを編集用画面ＰＥの作業領域ＷＲ上に再現する（図示せず）。その後、ユーザは、読み出した編集データに対して、文字等の追加や修正を行ったり、装飾を施したりすることができる。
【００３１】
また、この文書処理装置１では、ユーザの属性を表すユーザ情報を入力することができるようになっている。ユーザが、メニューバーＢ２又はツールバーＢ３から「ユーザ情報の入力」コマンドを選択すると、制御部２０は、図５に示すような設定用画面（ダイアログボックスＰＤ２）を編集用画面ＰＥ上に重畳して表示する。ダイアログボックスＰＤ２上では、「性別」、「年齢」、「好みのデザイン」といったユーザの属性を、それぞれ複数の属性区分（例えば、「性別」の場合には、「男性」と「女性」の２つの属性区分）の中から選択可能になっており、ユーザが、該当する属性区分を選択すると、制御部２０は、選択された各属性区分をユーザ情報として大容量記憶部２１に記憶し、前記ダイアログボックスＰＤ２を画面上から消去する。なお、ダイアログボックスＰＤ２を、文書作成プログラムＤＭをインストールした後の最初の起動時に表示して、入力・編集作業を行う前にユーザ情報の入力を促すようにしてもよい。
【００３２】
ここで、文書を装飾する際の動作について説明する。
ユーザは、文書の入力・編集作業を終えた後に、メニューバーＢ２又はツールバーＢ３から装飾を行うためのコマンドを選択することにより、文書に対して所望の装飾（フォントの変更や文字色の変更等）を施すことができる。これに加えて、本実施形態では、メニューバーＢ２又はツールバーＢ３から「自動装飾」コマンドを選択することにより、文書全体の装飾内容の決定をプログラムに委ねることができるようになっている。大容量記憶部２１には、文書に対する装飾内容と、ユーザの属性を表す属性区分とを対応付けた対応テーブルＲＴが記憶されており、制御部２０は、対応テーブルＲＴを参照することにより、ユーザによって入力されたユーザ情報から文書の装飾内容を決定する。
【００３３】
図６は、対応テーブルＲＴを表す説明図である。
図６に示すように、文書を装飾する際の装飾要素としては、テキスト入力枠ＰＴ１，ＰＴ２に入力された文字のフォントと、その色（文字色）と、文書の背景色とがあり、対応テーブルＲＴは、各属性区分に相応しい１つ又は複数の装飾内容（フォントの種別や、文字や背景が何色かを表す色情報）の候補を、装飾要素毎に各属性区分に対応付けて保持している。
【００３４】
図７は、文書に装飾を施す際の動作処理を示すフローチャートであり、図８（ａ）〜（ｃ）は、文書の装飾内容を決定する際の動作を説明する説明図である。ユーザにより「自動装飾」コマンドが選択されると、文書処理装置１は、図７に示したフローに従って動作する。
図７に示すように、まず、制御部２０は、大容量記憶部２１に記憶されたユーザ情報を読み出し（ステップＳ１０１）、このユーザ情報に基づいて、各装飾要素における装飾内容の候補を対応テーブルＲＴから抽出する（ステップＳ１０２）。例えば、ユーザの属性が、男性、２０歳台、クールである場合には、図８（ａ）に示すように、対応テーブルＲＴ（図６参照）から前記各属性区分（男性、２０歳台、クール）に対応付けられた候補をすべて抜き出す。その後、制御部２０は、図８（ｂ）に示すように、抜き出された候補の中から、各装飾要素において最も多く含まれる候補（最多候補）を抽出する（ステップＳ１０３）とともに、いずれかの装飾要素において最多候補が複数存在するか否かを判断する（ステップＳ１０４）。この結果、本実施形態における文字色（黒と青がともに３つ）や背景色（灰色と水色がともに３つ）のように、最多候補が複数存在する装飾要素がある場合には、図８（ｃ）に示すように、複数の候補の中からいずれか１つを無作為に選定する（ステップＳ１０５）。
【００３５】
その後、制御部２０は、選定された装飾内容に従って編集データを更新することにより、文書を装飾し（ステップＳ１０６）、図９に示すように、その装飾結果を作業領域ＷＲ上のイメージ画像ＰＩに表示する（ステップＳ１０７）。さらに、図１０に示すようなダイアログボックスＰＤ３を編集用画面ＰＥ上に重畳して表示して、施された装飾内容で確定させてよいか否かをユーザに問い合わせる（ステップＳ１０８）。ダイアログボックスＰＤ３には、「はい」と「いいえ」とが記されたボタンが表示されており、ユーザがキーボードＫＢやマウスＭＳを操作して「はい」を選択した場合には、装飾内容を確定させて装飾処理を終了する。
【００３６】
一方、ユーザが「いいえ」を選択した場合には、制御部２０は、図１１に示す選択画面ＰＳを編集用画面ＰＥ上に重畳して表示する（ステップＳ１０９）。選択画面ＰＳには、リスト表示領域ＬＳと、プレビュー表示領域ＰＶと、ボタン配置領域ＢＴとが含まれている。リスト表示領域ＬＳには、ステップＳ１０３で抽出された各装飾要素の最多候補（図８（ｂ）参照）の中から、それぞれ１つずつ選定する場合のすべての組み合わせのうち、ステップＳ１０５における無作為の選定から漏れた組み合わせ（装飾内容）が表示されており、ユーザは、キーボードＫＢやマウスＭＳを操作することにより、いずれか１つの組み合わせを選択することができるようになっている。プレビュー表示領域ＰＶには、リスト表示領域ＬＳで選択されている組み合わせに基づいた装飾結果（印刷イメージ）が表示されるようになっており、ユーザは、プレビュー表示領域ＰＶで装飾結果を確認しながら、所望の装飾内容を選択することができる。
【００３７】
ボタン配置領域ＢＴには、「ＯＫ」、「他の候補から選ぶ」等のボタンが表示されており、ユーザがキーボードＫＢやマウスＭＳを操作して「ＯＫ」ボタンを選択すると、制御部２０は、選択画面ＰＳを画面上から消去するとともに、リスト表示領域ＬＳで選択された装飾内容で文書に装飾を施し（ステップＳ１１０）、その装飾結果を作業領域ＷＲ上のイメージ画像ＰＩに反映させ（ステップＳ１１１）、装飾処理を終了する。一方、「他の候補から選ぶ」が選択された場合には、制御部２０は、ステップＳ１０２でユーザ情報に基づいて抽出された候補（図８（ａ）参照）のうち、最多候補以外の候補の各組み合わせをリスト表示領域ＬＳに表示するようになっており（図示せず）、さらに多くの候補の中から装飾内容を選定することできる。
【００３８】
文書の編集や装飾が完了し、ユーザがメニューバーＢ２又はツールバーＢ３から「印刷」の動作処理を選択すると、制御部２０は、プリンタＰＲに対して印刷指示を行う。プリンタＰＲが当該指示に基づいて印刷を行うことにより、編集や装飾が施された文書が出力される。
【００３９】
なお、本実施形態において、大容量記憶部２１に記憶されたユーザ情報を読み出す際（ステップＳ１０１）の制御部２０が、本発明のユーザ情報取得手段に相当し、読み出したユーザ情報に基づいて、文書に対する装飾内容を決定する際（ステップＳ１０２〜Ｓ１０５）の制御部２０が、本発明のデザイン決定手段に相当する。また、決定された装飾内容に基づいて文書に装飾を施す際（ステップＳ１０６）の制御部２０が、本発明の装飾処理手段に相当する。また、装飾結果を表示して、その適否を問い合わせる際（ステップＳ１０７，Ｓ１０８）の制御部２０が、本発明の確認手段に相当し、装飾結果が不適と判断された際に他の候補をリスト表示する際（ステップＳ１０９）の制御部２０が、本発明の選択手段に相当する。
【００４０】
以上説明したように、本実施形態の文書処理装置１によれば、以下の効果を得ることができる。
（１）本実施形態の文書処理装置１によれば、ユーザの属性を表すユーザ情報を取得して、これに基づいて装飾内容を決定するため、文書に対してユーザの属性に相応しい装飾を施すことが可能となる。
【００４１】
（２）本実施形態の文書処理装置１によれば、ユーザがどの属性区分に属するかを表すユーザ情報を取得して、装飾内容と属性区分とを対応付けた対応テーブルＲＴに基づいて装飾内容を決定するため、ユーザの属性に相応しい装飾内容を容易に決定することが可能となる。
【００４２】
（３）本実施形態の文書処理装置１によれば、無作為に選定された装飾内容がユーザの意に添わない場合に、選択画面ＰＳで他の候補を選択できるようにしているため、ユーザの意思を反映した装飾を施すことが可能となる。
【００４３】
（変形例）
なお、本発明の実施形態は、以下のように変更してもよい。
前記実施形態では、「自動装飾」コマンドが選択されると、フォント、文字色、文書の背景色の３つの装飾要素を決定するようになっているが、装飾要素は前記に限られず、例えば、挿絵（イラスト）、背景画像（壁紙）、文字サイズ等を含めてもよい。また、テキスト入力枠ＰＴ１，ＰＴ２毎に、異なるフォントや文字色等を選定するようにしてもよい。
【００４４】
前記実施形態では、性別、年齢、好みのデザインの３つの属性に基づいて、装飾内容を決定するようにしているが、ユーザの属性は前記に限られず、例えば、居住地や職業、趣味等に基づくようにしてもよい。
【００４５】
前記実施形態において、複数のユーザで利用する場合のために、ユーザ情報を複数記憶するようにしてもよい。この場合には、文書に装飾を施す前に、記憶された複数のユーザ情報をリスト表示するようにして、利用するユーザが自らのユーザ情報を選択できるようにすればよい。
【００４６】
前記実施形態では、ユーザが属する属性区分に基づいて、対応テーブルＲＴから装飾内容の候補（図８（ａ）参照）を抽出した後に、各装飾要素の最多候補を抽出し、その後で無作為に１つの候補を選定しているが、最多候補を抽出することなく、対応テーブルＲＴから抽出した候補の中から無作為に１つの候補を選定するようにしてもよい。
【００４７】
また、最終的にユーザが確定した装飾内容を学習するようにして、次回以降の候補選定時に、この学習内容を反映させるようにしてもよい。例えば、ステップＳ１０８において確定された装飾内容（候補）や、ステップＳ１０９において選択された装飾内容（候補）に対して、確定（選択）された旨を表す加点（重み付け）を行うようにする。さらに、次回以降、ステップＳ１０２で抽出された候補の中から１つの候補を選定する際には、各候補の選択回数（累積点数）を比較して、選択回数の多い候補を優先的に選定するようにすれば、ユーザの好みをより反映させた装飾を施すことが可能となる。なお、各候補の選択回数を比較する際に、最近（例えば、最新の１０回）の装飾動作（選択機会）における選択回数に限定して比較すれば、時間の経過に伴ってユーザの好みが移り変わった場合でも、ユーザの最近の好みを反映させることができる。
【図面の簡単な説明】
【００４８】
【図１】文書処理装置の全体構成を示すブロック図。
【図２】文書処理装置によってディスプレイに表示される画面を示す説明図。
【図３】文書処理装置によってディスプレイに表示される画面を示す説明図。
【図４】文書処理装置によってディスプレイに表示される画面を示す説明図。
【図５】文書処理装置によってディスプレイに表示される画面を示す説明図。
【図６】対応テーブルＲＴを表す説明図。
【図７】文書に装飾を施す際の動作処理を示すフローチャート。
【図８】（ａ）〜（ｃ）は、文書の装飾内容を決定する際の動作を説明する説明図。
【図９】文書処理装置によってディスプレイに表示される画面を示す説明図。
【図１０】文書処理装置によってディスプレイに表示される画面を示す説明図。
【図１１】文書処理装置によってディスプレイに表示される画面を示す説明図。
【符号の説明】
【００４９】
１…文書処理装置、２０…制御部、２０ａ…ＣＰＵ、２０ｂ…ＲＯＭ、２０ｃ…ＲＡＭ、２１…大容量記憶部、２２…インターフェイス（Ｉ／Ｆ）部。
【図１】
2007249745.tif 000003
【図２】
2007249745.tif 000004
【図３】
2007249745.tif 000005
【図４】
2007249745.tif 000006
【図５】
2007249745.tif 000007
【図６】
2007249745.tif 000008
【図７】
2007249745.tif 000009
【図８】
2007249745.tif 000010
【図９】
2007249745.tif 000011
【図１０】
2007249745.tif 000012
【図１１】
2007249745.tif 000013